(57)【特許請求の範囲】
【請求項１】
室内の空気を吸気して吹出口から送出する室内送風ファンと、前記室内送風ファンによる吸気と熱交換する室内熱交換器と、屋外に配されて外気と熱交換する室外熱交換器と、前記室外熱交換器の温度を検知する第１温度検知部と、計時を行う計時手段とを備え、暖房運転中に前記室外熱交換器を除霜する除霜運転を行う空気調和機において、
除霜運転は第１温度検知部の検知温度が所定の除霜温度よりも低くなった際に行われ、
前回の暖房運転の停止後からの経過時間を暖房運転の開始時に検知し、該経過時間が所定の停止時間よりも長いときに前記室外熱交換器の初期温度を検知して前記除霜温度を前記初期温度に応じて可変して初回の除霜運転を行うとともに、
前記経過時間が前記所定の停止時間よりも短いときに、前記除霜温度を予め設定された一定値にして初回の除霜運転を行い、
前記一定値は前記除霜温度の上限値よりも低く下限値よりも高い温度であることを特徴とする空気調和機。
【請求項２】
前記一定値は前記上限値の近傍の温度であることを特徴とする請求項１に記載の空気調和機。
【請求項３】
前記経過時間が前記所定の停止時間よりも長いときに、前記初期温度が０℃を含む所定の温度範囲で前記初期温度が高い程前記除霜温度を高くするとともに、前記所定の温度範囲よりも高温の領域で前記除霜温度を前記上限値にし、前記所定の温度範囲よりも低温の領域で前記除霜温度を前記下限値にしたことを特徴とする請求項１または請求項２に記載の空気調和機。
【請求項４】
２回目以降の除霜運転で前記除霜温度を一定値にするとともに、前回の除霜運転の停止後からの経過時間が所定の待機時間を経過した後に除霜運転を開始し、前回の除霜運転の運転時間が長い程、前記待機時間を短くしたことを特徴とする請求項１〜請求項３のいずれかに記載の空気調和機。
【請求項５】
暖房運転を開始してから初回の除霜運転を開始するまでの時間を、前記待機時間の最大値よりも長くしたことを特徴とする請求項４に記載の空気調和機。
【請求項６】
前記室内熱交換器の温度を検知する第２温度検知部と、室内に送出する空気の風向を可変する風向板とを備え、除霜運転中に前記室内熱交換器の温度が所定温度よりも低いときに、前記風向板により前記吹出口から下方への空気の流出を妨げることを特徴とする請求項１〜請求項５のいずれかに記載の空気調和機。
【請求項７】
除霜運転中に前記室内熱交換器の温度が所定温度よりも低いときに、前記風向板により前記吹出口を塞ぐとともに前記室内送風ファンを停止したことを特徴とする請求項６に記載の空気調和機。
【発明の詳細な説明】
【技術分野】
【０００１】
本発明は、暖房運転中に室外熱交換器の除霜運転を行う空気調和機に関する。
【背景技術】
【０００２】
従来の空気調和機は特許文献１、２に開示されている。この空気調和機は室内に配される室内機と屋外に配される室外機とが分離したセパレート型に構成される。室外機には冷凍サイクルを運転する圧縮機が設けられ、室内機及び室外機にはそれぞれ圧縮機に接続された室内熱交換器及び室外熱交換器が配される。
【０００３】
暖房運転を開始すると室内熱交換器が冷凍サイクルの高温側となり、室外熱交換器が低温側となる。室内機に取り込まれた空気は室内熱交換器と熱交換して昇温され、室内に送出される。これにより、室内の暖房が行われる。
【０００４】
外気温が低い場合（２℃〜５℃以下）には室外熱交換器は０℃以下となり、屋外の空気が所定量の水分を含んでいると霜となって室外熱交換器に付着する。暖房運転を継続すると室外熱交換器の霜が成長して熱交換効率が低下するため、定期的に室外熱交換器を除霜する除霜運転が行われる。
【０００５】
このため、特許文献１に記載の空気調和機は、室外熱交換器の温度が所定の温度よりも低く、暖房運転の積算時間が所定時間を超えると除霜運転が行われる。また、特許文献２に記載の空気調和機は、室外熱交換器の温度が所定温度よりも低い状態を所定時間継続すると除霜運転が行われる。除霜運転時は室内の暖房が停止され、室内熱交換器が冷凍サイクルの低温側に配されて室外熱交換器が冷凍サイクルの高温側に配される。これにより、室外熱交換器を昇温して除霜する。
【０００６】
室外熱交換器の霜付きは室外熱交換器の温度が低い場合であっても外気温に近い温度の場合は発生しない。このため、上記特許文献１、２の空気調和機は室外熱交換器の温度に基づいて除霜時期を判別するため無駄な除霜運転が行われる場合が生じる。これにより、除霜運転によって暖気の送出が停止され、快適性が損なわれる問題がある。
【０００７】
この問題を解決するために、特許文献３には外気温と室外熱交換器の温度とに基づいて除霜運転を行う空気調和機が開示される。即ち、除霜運転を開始する室外熱交換器の温度を外気温に応じて可変する。これにより、除霜の時期を正確に検知し、無駄な除霜運転を省いて快適性の低下を防止することができる。
【０００８】
【特許文献１】特開昭６０−１３３２４８号公報（第２頁−第３頁、第２図）
【特許文献２】実開昭６１−１９４１３３号（第２頁−第８頁、第３図）
【特許文献３】特開２００８−１４５９３号公報（第４頁−第１０頁、第２図）
【発明の開示】
【発明が解決しようとする課題】
【０００９】
しかしながら、上記特許文献３に記載の空気調和機によると、室外熱交換器の温度を検知する温度センサに加えて、外気温を検知する温度センサを必要とする。このため、空気調和機のコストが増大する問題があった。
【００１０】
本発明は、快適性の低下を防止するとともにコストを削減できる空気調和機を提供することを目的とする。
【課題を解決するための手段】
【００１１】
上記目的を達成するために本発明は、室内の空気を吸気して吹出口から送出する室内送風ファンと、前記室内送風ファンによる吸気と熱交換する室内熱交換器と、屋外に配されて外気と熱交換する室外熱交換器と、前記室外熱交換器の温度を検知する第１温度検知部と、計時を行う計時手段とを備え、暖房運転中に前記室外熱交換器を除霜する除霜運転を行う空気調和機において、
除霜運転は第１温度検知部の検知温度が所定の除霜温度よりも低くなった際に行われ、前回の暖房運転の停止後からの経過時間を暖房運転の開始時に検知し、該経過時間が所定の停止時間よりも長いときに前記室外熱交換器の初期温度を検知して前記除霜温度を前記初期温度に応じて可変して初回の除霜運転を行うことを特徴としている。
【００１２】
この構成によると、前回の暖房運転の停止時に計時手段により計時が開始され、暖房運転の開始時に前回の暖房運転の停止後からの経過時間が検知される。経過時間が予め設定された停止時間よりも長い場合は、室外熱交換器の初期温度が第１温度検知部により検知される。室外熱交換器の温度は第１温度検知部により監視され、初期温度に応じて可変される除霜温度よりも第１温度検知部の検知温度が低くなると初回の除霜運転が開始される。
【００１３】
また本発明は、上記構成の空気調和機において、前記経過時間が前記所定の停止時間よりも短いときに前記除霜温度を予め設定された一定値にして初回の除霜運転を行うようにしてもよい。この構成によると、前回の暖房運転の停止後からの経過時間が上記所定の停止時間よりも短い場合は、予め一定値に設定された除霜温度よりも第１温度検知部の検知温度が低くなると初回の除霜運転が開始される。
【００１４】
また本発明は、上記構成の空気調和機において、前記経過時間が前記所定の停止時間よりも長いときに、前記初期温度が０℃を含む所定の温度範囲で前記初期温度が高い程前記除霜温度を高くするとともに、前記所定の温度範囲よりも高温の領域で前記除霜温度を第１の温度にし、前記所定の温度範囲よりも低温の領域で前記除霜温度を第１の温度よりも低い第２の温度にし、前記経過時間が前記所定の停止時間よりも短いときに、前記除霜温度を第１の温度近傍の第１の温度よりも低い第３の温度にしてもよい。
【００１５】
この構成によると、前回の暖房運転の停止後からの経過時間が上記所定の停止時間よりも長い場合に、初期温度が０℃よりも高い高温領域では室外熱交換器の温度が第１の温度よりも低くなると初回の除霜運転が開始される。初期温度が０℃よりも低い低温領域では室外熱交換器の温度が第２の温度よりも低くなると初回の除霜運転が開始される。初期温度が高温領域と低温領域との間の０℃を含む可変領域では初期温度に応じて例えば線形的に除湿温度が可変される。そして、室外熱交換器の温度が初期温度に基づいて決められる除湿温度よりも低くなると初回の除霜運転が開始される。また、前回の暖房運転の停止後からの経過時間が上記所定の停止時間よりも短い場合には、室外熱交換器の温度が第１の温度近傍の第３の温度よりも低くなると初回の除霜運転が開始される。
【００１６】
また本発明は、上記構成の空気調和機において、２回目以降の除霜運転で前記除霜温度を一定値にするとともに、前回の除霜運転の停止後からの経過時間が所定の待機時間を経過した後に除霜運転を開始し、前回の除霜運転の運転時間が長い程、前記待機時間を短くしてもよい。
【００１７】
この構成によると、前回の除霜運転の運転時間及び前回の除霜運転の停止後からの経過時間が計時手段によって計時される。室外熱交換器の温度が一定値の除霜温度よりも低くなった際に該経過時間が前回の所定の待機時間よりも長いと２回目以降の除霜運転が開始され、短いと待機時間が経過するまで待機した後に２回目以降の除霜運転が行われる。この時、待機時間は前回の除霜運転の運転時間が長い程短くなるように可変される。
【００１８】
また本発明は、上記構成の空気調和機において、暖房運転を開始してから最初の除霜運転を開始するまでの時間を、前記待機時間の最大値よりも長くしてもよい。この構成によると、暖房運転が開始されると、２回目以降の除霜運転の最大の待機時間よりも長い待機時間が経過し、且つ、室外熱交換器の温度が除霜温度よりも低くなると初回の除霜運転が開始される。
【００１９】
また本発明は、上記構成の空気調和機において、前記室内熱交換器の温度を検知する第２温度検知部と、室内に送出する空気の風向を可変する風向板とを備え、除霜運転中に前記室内熱交換器の温度が所定温度よりも低いときに、前記風向板により前記吹出口から下方への空気の流出を妨げるようにしてもよい。この構成によると、第２温度検知部によって室内熱交換器の温度が監視され、所定の温度よりも低くなると例えば、風向板によって吹出口の遮蔽や水平若しくは上方への空気の送出が行われる。
【００２０】
また本発明は、上記構成の空気調和機において、除霜運転中に前記室内熱交換器の温度が所定温度よりも低いときに、前記風向板により前記吹出口を塞ぐとともに前記室内送風ファンを停止してもよい。
【発明の効果】
【００２１】
本発明によると、前回の暖房運転の停止後からの経過時間が所定の停止時間よりも長いときに室外熱交換器の初期温度を外気温と判断して初期温度に応じて除霜温度を可変して初回の除霜運転を行うので、正確に除霜時期を検知することができる。従って、不要な除霜運転を排して快適性の低下を防止できるとともに、外気温を検知する温度センサを設ける必要がなくコストを削減することができる。
【００２２】
また、前回の暖房運転の停止後からの経過時間が所定の停止時間よりも短いときに除霜温度を一定値にして初回の除霜運転を行うようにすると、室外熱交換器の温度上昇による除霜時期の誤検知を防止することができる。
【発明を実施するための最良の形態】
【００２３】
以下に本発明の実施形態を図面を参照して説明する。図１は一実施形態の空気調和機の冷凍サイクルの回路図を示している。空気調和機１は室内に配される室内機２と屋外に配される室外機３とが分離されたセパレート型になっている。室内機２には各部を制御するＣＰＵを有した制御部（不図示）が設けられる。制御部には各種の計時を行うタイマー（計時手段）及び動作プログラムや演算データを記憶する記憶部（不図示）が設けられる。
【００２４】
室外機３には圧縮機１１、四方切替弁１２、膨張弁１３、室外熱交換器１４及び室外送風ファン１５が設けられる。室内機２には室内熱交換器２４及び室内送風ファン２５が設けられる。圧縮機１１から導出される冷媒管は四方切替弁１２を介して室外熱交換器１５及び室内熱交換器２５の一端に接続される。室外熱交換器１４及び室内熱交換器２４の他端は膨張弁１３を介して接続される。
【００２５】
暖房運転時には図１に示すように四方切替弁１２が切り替えられ、矢印Ａ１に示す方向に冷媒が流通して冷凍サイクルが運転される。圧縮機１１により圧縮された高温高圧の冷媒は室内熱交換器２４で放熱しながら凝縮する。高温の冷媒は膨張弁１３で膨張して低温低圧となり、室外熱交換器１４に送られる。室外熱交換器１４の冷熱は室外送風ファン１５によって屋外に放出される。
【００２６】
室外熱交換器１４に流入する冷媒は吸熱しながら蒸発して低温のガス冷媒となり、圧縮機１１に送られる。これにより、室内熱交換器２４が冷凍サイクルの高温側となり、室外熱交換器１４が冷凍サイクルの低温側となる。室内熱交換器２４と熱交換して昇温された空気は室内送風ファン２５によって室内に送出される。
【００２７】
冷房運転時、除湿運転時及び室外熱交換器１４の除霜運転時には図２に示すように四方切替弁１２が切り替えられ、矢印Ａ２に示すように図１と逆方向に冷媒が流通する。これにより、室内熱交換器２４が冷凍サイクルの低温側となり、室外熱交換器１４が冷凍サイクルの高温側となる。室外熱交換器１４の熱は室外送風ファン１５によって屋外に放出される。室内熱交換器２４と熱交換して降温された空気は室内送風ファン２５によって室内に送出される。
【００２８】
また、室外熱交換器１４及び室内熱交換器２４の温度をそれぞれ検知する第１、第２温度検知部１６、２６が設けられている。
【００２９】
図３は室内機２の側面断面図を示している。室内機２は室内の壁面に取り付けられるキャビネット４で覆われる。キャビネット４の上面には室内の空気を取り入れる吸込口６が形成される。キャビネット４の内部にはクロスフローファンから成る室内送風ファン２５が配される。
【００３０】
室内送風ファン２５と吸込口６との間には室内熱交換器２４が配される。室内送風ファン２５の下方には前方に吹出口７を開口する送風通路５が設けられる。室内送風ファン２５の駆動によって吸込口６から室内の空気が取り込まれ、室内熱交換器２４で熱交換した空気が送風通路５を介して吹出口７から送出される。
【００３１】
送風通路５の吹出口７近傍には横ルーバ８、９（風向板）が上下に配され、横ルーバ８、９の後方に縦ルーバ１０が配される。縦ルーバ１０によって吹出口７から送出される空気の風向が左右方向に可変される。横ルーバ８、９によって吹出口７から送出される空気の風向が上下方向に可変される。また、横ルーバ８、９によって同図に示すように吹出口７を遮蔽できるようになっている。
【００３２】
図４は空気調和機１の暖房運転時の動作を示すフローチャートである。ステップ＃１１では前回の暖房運転の停止から所定の停止時間τｓが経過したか否かが判断される。停止時間τｓが経過した場合はステップ＃１２に移行し、停止時間τｓが経過したことを示すフラグＦに１が代入される。ステップ＃１３では第１温度検知部１６により室外熱交換器１４の温度が検知され、室外熱交換器１４の初期温度Ｔ０として記憶される。前回の暖房運転から停止時間τｓが経過していない場合はステップ＃１４でフラグＦに０が代入される。
【００３３】
ステップ＃１５では四方切替弁１２が前述の図１に示す状態に切り替えられ、圧縮機１１及び室外送風ファン１５が駆動される。ステップ＃１６では横ルーバ８、９が下向きに配置され、室内送風ファン２５が駆動される。これにより、吹出口７から下向きに暖気が送出される。
【００３４】
キャビネット４の内部には吸込口６の近傍に室内機２への吸込み空気温度を検出する室温サーモ（不図示）が設けられる。この室温サーモの検知温度と設定温度との温度差により圧縮機１１の回転数が制御される。また、第２温度検知部２６によって室内熱交換器２４の温度が監視され、室内熱交換器２４の検知温度により室内送風ファン２５の回転数が制御される。これにより、常に暖かい温風を室内に吹出し、室内が所定の温度範囲に維持される。
【００３５】
ステップ＃２１では暖房運転を終了する指示（例えば、リモートコントローラからの停止指示や、運転ＯＦＦタイマーによる停止指示）があったか否かが判断される。暖房運転を終了する指示があった場合はステップ＃４５に移行する。暖房運転を終了する指示がない場合はステップ＃２２に移行する。ステップ＃２２では第１温度検知部１６によって室外熱交換器１４の温度Ｔｅが検知される。ステップ＃２３ではフラグＦが１か否かが判断される。フラグＦが１の場合はステップ＃２４に移行し、フラグＦが０の場合はステップ＃２５に移行してそれぞれ除霜を開始する除霜温度が取得される。
【００３６】
図６は除霜温度を取得するための室外熱交換器１４の検知温度Ｔｅと初期温度Ｔ０との関係を示す図である。縦軸は室外熱交換器１４の検知温度Ｔｅ（単位：℃）を示し、横軸は室外熱交換器１４の初期温度Ｔ０（単位：℃）を示している。
【００３７】
フラグＦ＝１の場合は除霜温度が可変され、初期温度Ｔ０に応じて低温領域Ｓ１、可変領域Ｓ２、高温領域Ｓ３に区別された各領域で異なる条件によって除霜温度が導出される。初期温度Ｔ０が０℃を含む所定の温度範囲の可変領域Ｓ２では式（１）で示される直線よりも室外熱交換器１４の検知温度Ｔｅが低くなると除霜が開始される。ここで、ｋ、Ｔｂは予め設定された係数及び温度である。除霜温度を初期温度Ｔ０に対して線形的に可変しているが、非線形的に可変してもよい。
【００３８】
Ｔｅ＝ｋＴ０＋Ｔｂ  ・・・（１）
【００３９】
可変領域Ｓ２よりも低温側の低温領域Ｓ１では、一定値の温度Ｔｃ（第２の温度）が除霜温度となる。可変領域Ｓ２よりも高温側の高温領域Ｓ３では、一定値の温度Ｔａ（第１の温度）が除霜温度となる。温度Ｔａ、Ｔｃは式（１）で表わされる直線に連続した一定値になっており、Ｔａ＞Ｔｂ＞Ｔｃの関係がある。
【００４０】
フラグＦ＝０の場合は、初期温度Ｔ０に拘わらず一定値の温度Ｔｄ（第３の温度）が除霜温度となる。これにより、室外熱交換器１４の検知温度Ｔｅが温度Ｔｄよりも低くなると除霜が開始される。温度Ｔｄは温度Ｔａよりも低く、温度Ｔａの近傍の値になっている。
【００４１】
図６に基づいて、ステップ＃２４では除霜温度が初期温度Ｔ０に応じて演算により導出される。ステップ＃２５では除霜温度に一定値の温度Ｔｄが代入される。ステップ＃２６では室外熱交換器１４の検知温度Ｔｅが除霜温度よりも低いか否かが判断される。室外熱交換器１４の検知温度Ｔｅが除霜温度よりも低くない場合はステップ＃２１に戻り、ステップ＃２１〜＃２６が繰り返し行われる。
【００４２】
室外熱交換器１４の検知温度Ｔｅが除霜温度よりも低い場合はステップ＃２７に移行する。ステップ＃２７では暖房運転の開始時から所定の初期時間τ０が経過したか否かが判断される。初期時間τ０が経過していない場合は除霜運転が行われずにステップ＃２１に戻り、ステップ＃２１〜＃２７が繰り返し行われる。
【００４３】
初期時間τ０が経過した場合はステップ＃３１に移行し、図５に示す除霜運転が行われる。除霜運転のステップ＃５０では除霜運転の運転時間（言い換えれば、今回の除霜運転が行われた時間）である除霜時間τｄの計時が開始される。ステップ＃５１では四方切替弁１２が前述の図２に示すように切り替えられる。これにより、室外熱交換器１４が冷凍サイクルの高温側となって室外熱交換器１４の除霜が行われる。
【００４４】
ステップ＃５２では第２温度検知部２６によって室内熱交換器２４の温度Ｔｉが検知される。ステップ＃５３では室内熱交換器２４の温度Ｔｉが所定温度以上か否かが判断される。室内熱交換器２４の温度Ｔｉが所定温度以上の場合はステップ＃５６に移行する。室内熱交換器２４の温度Ｔｉが所定温度よりも低くなった場合はステップ＃５４に移行し、室内送風ファン２５が停止される。ステップ＃５５では横ルーバ８、９によって吹出口７が遮蔽される。
【００４５】
これにより、暖房運転中に低温の空気が吹出口７から下方へ流出することを妨げて不快感を低減することができる。室内熱交換器２４の温度Ｔｉが所定温度よりも低くなった際に横ルーバ８、９によって吹出口７から水平または上方に空気を導いて下方への流出を妨げてもよい。
【００４６】
ステップ＃５６では第１温度検知部１６によって室外熱交換器１４の温度Ｔｅが検知される。ステップ＃５７では室外熱交換器１４の温度Ｔｅが所定温度以上か否かが判断される。室外熱交換器１４の温度Ｔｅが所定温度よりも低い場合はステップ＃５２に移行し、ステップ＃５２〜＃５７が繰り返し行われて室外熱交換器１４の除霜が継続される。
【００４７】
室外熱交換器１４の温度Ｔｅが所定温度以上になると除霜が完了したと判断してステップ＃５８に移行する。ステップ＃５８では今回の除霜運転の運転時間である除霜時間τｄが取得される。ステップ＃５９では除霜時間τｄに基づいて次回の除霜運転までの待機時間τｗが演算により導出される。
【００４８】
図７は待機時間τｗと除霜時間τｄとの関係を示す図である。縦軸は待機時間τｗを示し、横軸は除霜時間τｄを示している。待機時間τｗは式（２）により導出され、除霜時間τｄが長い程待機時間τｗが短くなっている。ここで、ｊ、τｗｍａｘは予め設定された係数及び時間である。待機時間τｗを除霜時間τｄに対して線形的に可変しているが、非線形的に可変してもよい。
【００４９】
τｗ＝−ｊτｄ＋τｗｍａｘ  ・・・（２）
【００５０】
室外熱交換器１４の着霜量が多いと除霜運転の運転時間が長くかかり、着霜量が少ないと除霜運転の運転時間が短くなる。このため、除霜時間τｄが長い場合は次回の除霜運転までの待機時間τｗを短くすることにより、着霜による熱交換効率の低下を防止することができる。また、除霜時間τｄが短い場合は次回の除霜運転までの待機時間τｗを長くすることにより、除霜によって暖気が送出されない期間を削減して不快感を低減することができる。
【００５１】
尚、前述のステップ＃２７の初期時間τ０は待機時間τｗの最大値τｗｍａｘよりも長くなっている。即ち、暖房運転の開始時は室外熱交換器１４の表面が濡れていないため着霜しにくく、除霜運転を行った後の室外熱交換器１４は濡れているため着霜しやすくなる。このため、強い暖房能力が必要となる暖房運転の開始時に、初回の除霜運転までの待機時間（初期時間τ０）を長くすることによって快適性を向上することができる。
【００５２】
ステップ＃６０では四方切替弁１２が前述の図１に示すように切り替えられる。ステップ＃６１では横ルーバ８、９が下向きに配置され、室内送風ファン２５が駆動される。これにより、暖房運転が継続され、図４のフローチャートに戻る。
【００５３】
図４のステップ＃４１では除霜温度に一定値の温度Ｔｄ（図６参照）が代入される。ステップ＃４２では室外熱交換器１４の検知温度Ｔｅが除霜温度よりも低いか否かが判断される。室外熱交換器１４の検知温度Ｔｅが除霜温度よりも低くない場合はステップ＃４４に移行する。
【００５４】
室外熱交換器１４の検知温度Ｔｅが除霜温度よりも低い場合はステップ＃４３に移行する。ステップ＃４３では前回の除霜運転からステップ＃５９で導出した待機時間τｗが経過したか否かが判断される。待機時間τｗが経過していない場合はステップ＃４４に移行する。
【００５５】
ステップ＃４４では暖房運転を終了する指示（例えば、リモートコントローラからの停止指示や、運転ＯＦＦタイマーによる停止指示）があったか否かが判断される。暖房運転を終了する指示がない場合はステップ＃４２〜＃４４が繰り返し行われる。そして、室外熱交換器１４の検知温度Ｔｅが除霜温度よりも低くなり、待機時間τｗが経過するとステップ＃３１に移行して２回目以降の除湿運転が行われる。
【００５６】
暖房運転を終了する指示があった場合はステップ＃４５に移行する。ステップ＃４５では次回の暖房運転までの停止時間τｓの計時が開始され、暖房運転を終了する。
【００５７】
本実施形態によると、前回の暖房運転の停止後からの経過時間が所定の停止時間τｓよりも長いときに室外熱交換器１４の初期温度Ｔ０を外気温と判断することができる。これにより、室外熱交換器１４の初期温度Ｔ０に応じて除霜温度を可変して初回の除霜運転を行うので、正確に除霜時期を検知することができる。従って、不要な除霜運転を排して快適性の低下を防止できるとともに、外気温を検知する温度センサを設ける必要がなくコストを削減することができる。
【００５８】
また、前回の暖房運転の停止後からの経過時間が所定の停止時間τｓよりも短いときに除霜温度を一定値の温度Ｔｄにして初回の除霜運転を行うので、室外熱交換器１４の温度上昇による除霜時期の誤検知を防止することができる。
【００５９】
また、前回の暖房運転の停止後からの経過時間が所定の停止時間τｓよりも長いときに、可変領域Ｓ２で初期温度Ｔ０が高い程除霜温度を高くし、高温領域Ｓ３及び低温領域Ｓ１でそれぞれ除霜温度を一定の第１の温度Ｔａ、第２の温度Ｔｃしている。このため、室外熱交換器１４の温度が低くても外気温に近いために室外熱交換器１４の霜付きが発生しない場合には除霜運転が行われない。従って、不要な除霜運転を容易に省くことができる。
【００６０】
また、前回の暖房運転の停止後からの経過時間が所定の停止時間τｓよりも短いときに、除霜温度を第１の温度Ｔａ近傍で第１の温度Ｔａよりも低い第３の温度Ｔｄにしたので、外気温が判別できない場合に確実に除霜を行うことができる。
【００６１】
また、２回目以降の除霜運転で除霜温度を一定値の温度Ｔｄにして、前回の除霜運転の停止後からの経過時間が待機時間τｗを経過した後に除霜運転を開始し、前回の除霜時間τｄが長い程待機時間τｗを短くしたので、着霜が多く前回の除霜時間τｄが長い場合は待機時間τｗを短縮して着霜による熱交換効率の低下を防止することができる。また、着霜が少なく前回の除霜時間τｄが短い場合は待機時間τｗを長くして除霜によって暖気が送出されない期間を削減して不快感を低減することができる。尚、２回目以降の除霜運転の除霜温度を温度Ｔｄと異なる一定値にしてもよい。
【００６２】
また、暖房運転を開始してから初回の除霜運転を開始するまでの初期時間τ０を、待機時間τｗの最大値τｗｍａｘよりも長くしたので、強い暖房能力が必要となる暖房運転の開始時に初回の除霜運転までの時間を長くして快適性を向上することができる。
【００６３】
また、除霜運転中に室内熱交換器２４の温度Ｔｉが所定温度よりも低いときに、横ルーバ８、９（風向板）により吹出口７から下方への空気の流出を妨げるので、不快感を低減することができる。
【産業上の利用可能性】
【００６４】
本発明は、暖房運転中に室外熱交換器の除霜運転を行う空気調和機に利用することができる。
【図面の簡単な説明】
【００６５】
【図１】本発明の実施形態の空気調和機の冷凍サイクルの暖房運転時の状態を示す回路図
【図２】本発明の実施形態の空気調和機の冷凍サイクルの除霜運転時の状態を示す回路図
【図３】本発明の実施形態の空気調和機の室内機を示す側面断面図
【図４】本発明の実施形態の空気調和機の暖房運転の動作を示すフローチャート
【図５】本発明の実施形態の空気調和機の除霜運転の動作を示すフローチャート
【図６】本発明の実施形態の空気調和機の除霜温度を示す図
【図７】本発明の実施形態の空気調和機の待機時間と除霜時間との関係を示す図
【符号の説明】
【００６６】
１    空気調和機
２    室内機
３    室外機
４    キャビネット
５    送風通路
６    吸込口
７    吹出口
８、９  横ルーバ
１０    縦ルーバ
１１    圧縮機
１２    四方切替弁
１３    膨張弁
１４    室外熱交換器
１５    室外送風ファン
１６    第１温度検知部
２４    室内熱交換器
２５    室内送風ファン
２６    第２温度検知部
【図１】
0005227661.tif 000002
【図２】
0005227661.tif 000003
【図３】
0005227661.tif 000004
【図４】
0005227661.tif 000005
【図５】
0005227661.tif 000006
【図６】
0005227661.tif 000007
【図７】
0005227661.tif 000008